(57)【要約】【課題】  本願は、支持部材を孔あけ加工をすることなく、屋根上設置物の取り付け、支持部材同士の長手方向の接合、屋根上への止着をすることができ、それらの機能をお互いに制限することのない屋根上設置物の支持部材、その係合部材及び屋根上設置物の取り付け構造を提供することを目的とする。【解決手段】  本願の支持部材は、屋根上設置物の支持部材である。その上面には、被スライド手段が形成されている。また、両側面には、長手方向に連続する上側溝及び下側溝が設けられている。その上側溝及び下側溝は、支持部材の側面同側の上側溝及び下側溝に係合部材を係合させることができる形状に形成されている。さらに、長手方向に連続する止着脚が、側面の下端縁から延出して形成されている。【選択図】図２
2014051877.tif 000002
【特許請求の範囲】
【請求項１】
屋根上設置物の支持部材であって、
該支持部材は、
上面には、
被スライド手段が形成されており、
両側面には、
長手方向に連続する上側溝及び下側溝が設けられており、
該上側溝及び下側溝は、
支持部材の側面同側の上側溝及び下側溝に係合部材を係合させることができる形状に形成されており、
長手方向に連続する止着脚が、
側面の下端縁から延出して形成されている屋根上設置物の支持部材。
【請求項２】
請求項１の屋根上設置の支持部材に係合される係合部材であって、
該係合部材は、
係合側面が形成されており、
該係合側面には、
支持部材の上側溝及び下側溝に係合される上側片及び下側片と、
貫通孔が形成されており、
支持部材と係合部材とは、
側面同側の上側溝に上側片が係合され、
側面同側の下側溝に下側片が係合されており、
支持部材の長手方向端部又は側面外側に組み合わされた締付部材が前記貫通孔に貫通され、
前記締付部材が締め付けられることによって支持部材に係合される係合部材。
【請求項３】
請求項１の屋根上設置物の支持部材が、
固定部材によって屋根上に取り付けられる屋根上設置物の取り付け構造であって、
固定部材には、
屋根上に固定部材を固定する固定部と、
受け部とが形成されており、
該受け部に載置された前記支持部材の止着脚が固定部材に止着される
屋根上設置物の取り付け構造。
【請求項４】
請求項１の屋根上設置の支持部材が、
請求項２の係合部材によって長手方向に接合されており、
長手方向に隣り合う前記支持部材の側面端同士に、
前記係合部材が差し掛かるように配置され、
支持部材同士と係合部材とは、
側面同側の上側溝同士に上側片が係合され、
側面同側の下側溝同士に下側片が係合されており、
支持部材の長手方向端部又は側面外側に組み合わされた締付部材が貫通孔に貫通され、
前記締付部材が締め付けられることによって支持部材同士が接合される
請求項３の屋根上設置物の取り付け構造。
【発明の詳細な説明】
【技術分野】
【０００１】
本願は、屋根上設置物を取り付ける支持部材、その支持部材に係合される係合部材及び屋根上設置物の取り付け構造に関するものである。
【背景技術】
【０００２】
従来技術について、図１２から図１５までで説明する。図１２は折板屋根に太陽光発電装置を取り付ける技術、図１３は折板屋根上に太陽電池モジュールを設置する技術、図１４及び図１５は太陽電池モジュールの取り付けに関する技術である。
【０００３】
図１２は、特許第３７３０８４１号公報にて公開されている折板屋根に太陽光発電装置を取り付ける技術である。図１２は、その図３である。この図１２に示した技術では、縦材８が折板の上から複数のタイトフレーム間に掛け渡され、タイトフレームに固定する固定ボルトに共締め固定される。
【０００４】
図１３は、特開２０１１−２３６６１１号公報にて公開されている折板屋根上に太陽電池モジュールを設置する技術である。図１３は、その図４である。この特開２０１１−２３６６１１号公報においては、レールジョイント金具を介したレール２の接合技術が記載されている。レール２端部どうしを突き合わせ接合するとき、その接合部分のレール２内に、溝形鋼材レールの底面に接し、側面に近接する平板、皿形または箱形のレールジョイント金具７を嵌め入れて、レール受け金具４のレール固定用ボルト４ｃを使って締め付けることにより、レール受け金具４上にて接合した例が示されている。
【０００５】
図１４及び図１５は、特許第３５０２２６２号公報にて公開されている太陽電池モジュールの取り付けに関する技術である。図１４はその図１、図１５はその図２である。この特許第３５０２２６２号公報においては、縦桟３１を連結する技術が記載されている。縦桟３１の長さが不足する場合、縦桟３１の中の空間に連結パイプ３７を挿入し、もう１本の縦桟３１を連結パイプ３７にはめ込む。次に、側面端部の貫通穴３２を使用して貫通ボルト２９で固定する。
【先行技術文献】
【特許文献】
【０００６】
【特許文献１】特許第３７３０８４１号公報
【特許文献２】特開２０１１−２３６６１１号公報
【特許文献３】特許第３５０２２６２号公報
【発明の概要】
【発明が解決しようとする課題】
【０００７】
図１２に示した折板屋根に太陽光発電装置を取り付ける技術は、カーポートの折板屋根を対象としている。この技術を、大型建物の屋根に応用する場合、縦材を建物ごとにタイトフレームの設置間隔に合わせた長さに設計して製造する必要があった。
【０００８】
また、屋根上に固定するために、固定ナット４８を投入および螺合するための操作孔４４ａが形成されている。そのため、孔あけ加工等のコスト・手間がかかっていた。さらに、太陽光発電装置の設置は、たとえ縦材８上であっても、この操作孔４４ａの位置を避けなければならないという制限が生じていた。
【０００９】
図１３で示した折板屋根上に太陽電池モジュールを設置する技術は、レール受け金具４のレール固定用ボルト４ｃを使ってレール２・２同士を接合している。そのため、レール２・２同士の接合位置が必ずレール受け金具４の位置でなければならず、母屋ピッチが任意である重ね式折板屋根などにこの技術を応用する場合、設置する屋根ピッチに合わせてレール２を寸法設定する必要があった。
【００１０】
図１４及び図１５で示した太陽電池モジュールの取り付けに関する技術では、接合するために、縦桟３１に貫通孔３２をあけなければならない。そのため、縦桟３１を製造する際、押出加工又は引抜加工後、別途孔あけ等の追加加工が必要であり、そのコスト・手間がかかっていた。
【課題を解決するための手段】
【００１１】
本願の支持部材は、屋根上設置物の支持部材である。その上面には、被スライド手段が形成されている。また、両側面には、長手方向に連続する上側溝及び下側溝が設けられている。その上側溝及び下側溝は、支持部材の側面同側の上側溝及び下側溝に係合部材を係合させることができる形状に形成されている。さらに、長手方向に連続する止着脚が、側面の下端縁から延出して形成されている。
【００１２】
本願の係合部材は、先述した屋根上設置物の支持部材に係合される。この係合部材は、係合側面が形成されている。この係合側面には、支持部材の上側溝及び下側溝に係合される上側片及び下側片と、貫通孔が形成されている。これらの支持部材と係合部材とは、側面同側の上側溝に上側片が係合され、側面同側の下側溝に下側片が係合されている。そして、支持部材の長手方向端部又は側面外側に組み合わされた締付部材が、係合部材の貫通孔に貫通される。係合部材は、この締付部材が締め付けられることによって支持部材に係合される。
【００１３】
本願の屋根上設置物の取り付け構造は、先述の支持部材が、固定部材によって屋根上に取り付けられる。その固定部材には、屋根上に固定部材を固定する固定部と、受け部とが形成されている。その受け部に載置された支持部材の止着脚が固定部材に止着される。
【００１４】
本願の屋根上設置物の取り付け構造は、次の通りである。先述の支持部材が、先述の係合部材によって長手方向に接合されている。接合に際しては、長手方向に隣り合う支持部材の側面端同士に、係合部材が差し掛かるように配置される。このとき、支持部材同士と係合部材とは、側面同側の上側溝同士に上側片が係合され、側面同側の下側溝同士に下側片が係合されている。そして、支持部材の長手方向端部又は側面外側に組み合わされた締付部材が貫通孔に貫通される。係合部材は、その締付部材が締め付けられることによって支持部材同士が接合される。そして、先述の屋根上設置物の取り付け構造として屋根上に取り付けられている。
【発明の効果】
【００１５】
本願の屋根上設置物の支持部材は、上面に被スライド手段が形成されている。そのため、屋根上設置物を支持部材上の任意の位置に取り付けることができる。また、支持部材に屋根上設置物を取り付けるのに使用する孔等を形成する必要がない。そのため、支持部材に孔あけ等の加工が不要なので、そのコスト・手間を削減できる。
【００１６】
本願の支持部材において、屋根上設置物を取り付ける機能を持つ部分は上面に、支持部材同士を接合させる機能を持つ部分は両側面に、屋根上に止着する機能を持つ部分は止着脚にというように、それぞれの機能は、互いに干渉しない位置関係として構成されている。そのため、取り付け・接合・止着の機能を実現させるに当たり、他の機能による制限を受けることがない。通常、取り付け・接合・止着の機能を単純に組み合わせた場合、互いの機能が干渉し合い、少なからず制限が加わる。先述した図８において、太陽光発電装置の設置が、たとえ縦材８上であっても、操作孔４４ａの位置を避けなければならないという制限は、その一例である。本願では、このような制限が生じないので、これらの機能の単なる組合せを超える効果が得られると言える。
【００１７】
また、本願の係合部材を支持部材同士の接合に用いた場合、たとえば、屋根上設置物の支持部材の接合構造は、支持部材の側面同側の上側溝同士と係合部材の上側片を係合させるとともに、支持部材の側面同側の下側溝同士と係合部材の下側片を係合させる。さらに、一側の係合部材の貫通孔から、支持部材間のすきまを通過して、他側の係合部材の貫通孔に貫通された締付部材を締め付けて支持部材同士が接合される。このように、支持部材に孔をあけることなく、支持部材同士を強固に接合させることができる。支持部材に孔をあける必要がないので、支持部材への加工等のコスト・手間を削減できる。また、先述したとおり、支持部材において、その接合に要する部分が両側面に限定されるので、屋根上設置物を取り付ける機能、屋根上に止着させる機能を制限することがない。
【００１８】
本願の係合部材を用いた支持部材の接合構造により、支持部材を接合させて様々な長さ寸法に対応することができる。そうすることによって、重ね式折板屋根のような様々な母屋ピッチをもつ屋根にも対応することができる。このように、支持部材を接合させることによって様々な長さ寸法に対応できるので、支持部材自体は定尺にし、在庫が可能な標準部材とすることが可能である。その結果、支持部材を取り付け屋根の寸法に合わせて、現場で切断したり、あらかじめ異なる長さの支持部材を製造したりする必要がなくなり、コスト・手間の削減が実現できる。
【００１９】
本願の屋根上設置物の取り付け構造は、支持部材の止着脚が固定部材の受け部に載置されて止着される。したがって、屋根の流れ方向において、固定部材の位置に制限されることなく、支持部材を止着させることができる。さらに、支持部材を屋根上に止着させるために、支持部材に孔をあける必要がないので、支持部材への追加加工等のコスト・手間を削減できる。なお、先述したとおり、支持部材において、止着に要する部分が止着脚に限定されるので、屋根上設置物を取り付ける機能、支持部材同士を接合させる機能を制限することがない。
【図面の簡単な説明】
【００２０】
【図１】本願の屋根上設置物の支持部材の実施例を示す説明図である。
【図２】本願の屋根上設置物の支持部材の実施例を示す説明図である。
【図３】本願の係合部材の実施例を示す説明図である。
【図４】本願の係合部材による屋根上設置物の支持部材の接合構造の第１の実施例を示す説明図である。
【図５】本願の係合部材による屋根上設置物の支持部材の接合構造の第１の実施例を示す説明図である。
【図６】本願の係合部材による屋根上設置物の支持部材の接合構造の第２の実施例を示す説明図である。
【図７】本願の係合部材による屋根上設置物の支持部材の接合構造の第２の実施例を示す説明図である。
【図８】本願の係合部材による屋根上設置物の支持部材の接合構造の第３の実施例を示す説明図である。
【図９】本願の係合部材による屋根上設置物の支持部材の接合構造の第３の実施例を示す説明図である。
【図１０】本願の屋根上設置物の取り付け構造に用いられる固定部材の実施例を示す説明図である。
【図１１】本願の屋根上設置物の取り付け構造の実施例を示す説明図である。
【図１２】従来技術の説明図である。
【図１３】従来技術の説明図である。
【図１４】従来技術の説明図である。
【図１５】従来技術の説明図である。
【実施例】
【００２１】
本願の屋根上設置物の支持部材、係合部材、及び屋根上設置物の取り付け構造について、図１から図１１までにより説明する。
【００２２】
図１及び図２は、本願の屋根上設置物の支持部材の一例である。図３は、本願の係合部材の一例である。図４及び図５は、本願の係合部材による屋根上設置物の支持部材の接合構造の一例（第１の実施例）である。図６及び図７は、本願の係合部材による屋根上設置物の支持部材の接合構造の一例（第２の実施例）である。図８及び図９は、本願の係合部材による屋根上設置物の支持部材の接合構造の一例（第３の実施例）である。図１０は、本願の屋根上設置物の取り付け構造に用いられる固定部材の一例である。図１１は、屋根上設置物の取り付け構造の一例である。
【００２３】
まず、図１及び図２により、本願の屋根上設置物の支持部材の実施例について説明する。
【００２４】
本実施例の支持部材は、屋根上設置物の支持部材である。その上面には、被スライド手段が形成されている。また、両側面には、長手方向に連続する上側溝及び下側溝が設けられている。その上側溝及び下側溝は、長手方向に隣り合う支持部材の側面同側の上側溝同士及び下側溝同士に係合部材（接合部材）を係合させることができる形状に形成されている。さらに、長手方向に連続する止着脚が、側面の下端縁から延出して形成されている。
【００２５】
本願の支持部材１の上面１１には、被スライド手段１１１が形成されている。本実施例においては、被スライド手段としてリップ溝を用いた実施例を記載している。ただし、これは一例であり、被スライド手段をリップ溝に限定するものではない。たとえば、長手方向に連続する断面略Ｔ字状のレールなどでもよい。この被スライド手段１１１には、ボルト頭部やスライド金具などの屋根上設置物取り付け部材を組み合わせる。支持部材１の被スライド手段１１１にて屋根上設置物取り付け部材をスライドさせることができるので、支持部材１上の任意の位置に屋根上設置物を取り付けることができる。
【００２６】
また、本願の支持部材１の両側面１２・１２には、上側溝１２１・１２１及び下側溝１２２・１２２が形成されている。なお、本実施例では、上側溝１２１及び下側溝１２２は、長手方向に隣り合う支持部材１・１の側面同側の上側溝１２１・１２１同士及び下側溝１２２・１２２同士に後述する係合部材２を係合させることができる形状に形成されている。
【００２７】
本実施例においては、上側溝１２１、下側溝１２２の２条のみが形成されている。そのほか、それら以外に長手方向に連続する溝が形成されていてもよい。すなわち、上下の位置関係にある２条以上の溝が形成されていればよく、溝の数を２条だけに限定するものではない。なお、この上側溝１２１及び下側溝１２２は、後述する係合部材２により、支持部材１・１同士の接合などに用いる。
【００２８】
さらに、本願の支持部材１には長手方向に連続する止着脚１３が、側面１２の下端縁から延出して形成されている。この止着脚１３は、後述する固定部材４が有する受け部４２等を用いて、固定部材４上における任意の位置で支持部材１を固定することができる。ただし、支持部材１に孔をあけるものでなければ、その止着脚１３の止着方法は問わない。また、本実施例に示すような止着脚１３は一例であり、その大きさや形状を限定するものではない。
【００２９】
本願の支持部材１は、図２に示す実施例のような端面形状からわかるとおり、アルミ等を用いた押出加工又は引抜加工によって製造されることが望ましい。また、本願の支持部材１は、屋根上設置物の取り付け、支持部材１・１同士の接合、屋根上への止着を目的とした、孔あけ等の追加加工を全く必要としない。したがって、押出加工又は引抜加工のみにより、製造することが可能である。その結果、大幅なコスト・手間を削減することができる。
【００３０】
次に、図３により、本願における係合部材２の実施例について説明する。
【００３１】
本願の係合部材２には、係合側面２１が形成されている。その係合側面２１は、本実施例では、支持部材１の上側溝１２１及び下側溝１２２に係合される上側片２１１及び下側片２１２と、略中央の位置に貫通孔２１３が形成されている。
【００３２】
上側片２１１及び下側片２１２は、本実施例においては、係合側面２１の上端縁及び下端縁に形成されている。ただし、これは一例であって、上側片２１１及び下側片２１２が形成される位置を係合側面２１の上端縁及び下端縁に限定するものではなく、係合する支持部材１の上側溝２１１及び下側溝２１２に係合可能な位置にあればよい。たとえば、支持部材１の上側溝２１１及び下側溝２１２の位置に合わせて、係合側面２１の上端縁から３分の１の位置に上側片２１１が、係合側面２１の下端縁から３分の１の位置に下側片２１２が形成されていても良い。係合部材２の上端縁が支持部材１の上面１１の持つ屋根上設置物を取り付ける機能、係合部材２の下端縁が支持部材１の止着脚１３の持つ屋根上に止着される機能を制限しなければ、上側片２１１及び下側片２１２の位置は任意である。
【００３３】
また、上側片２１１及び下側片２１２以外にも、係合片を形成してもよい。したがって、３条、４条というように上下の位置関係にある２条以上の係合片を形成してもよく、上側片２１１及び下側片２１２の２条だけに限定するものではない。
【００３４】
さらに、上側片２１１及び下側片２１２の形状は、支持部材１の上側溝１２１及び下側溝１２２に対して、クサビ状であることが望ましい。クサビ状にすることによって、締付部材３を締め付けたときに、支持部材１・１同士の接合強度をより高めることができる。
【００３５】
貫通孔２１３は、係合部材２の略中央の位置に形成されている。なお、貫通孔２１３は、上側片２１１と下側片２１２の間に形成されていても良いし、上側片２１１の位置又は下側片２１２の位置と重なって形成されていても良い。したがって、貫通孔２１３の位置は上側片２１１及び下側片２１２の位置に制限されるものではなく、上側片２１１及び下側片２１２の高さ方向の位置も貫通孔２１３の位置に制限されるものではない。
【００３６】
本実施例においては、貫通孔２１３が１つであるが、高さ方向に２つ並ぶ貫通孔２１３・２１３が形成されていても良い。すなわち、１つ以上の貫通孔２１３が形成されていれば良い。
【００３７】
次に、図４から図９までにより、本願の係合部材による屋根上設置物の支持部材の接合構造について説明する。
【００３８】
まず、図４及び図５により第１の実施例について説明する。本実施例のように、係合部材は「接合部材」として用いることができる。本実施例の屋根上設置物の支持部材の接合構造は、係合部材（接合部材）によって支持部材がその長手方向に接合される。その係合部材（接合部材）は、係合側面（接合側面）が形成されている。その係合側面（接合側面）には、支持部材の上側溝及び下側溝に係合される上側片及び下側片と、略中央の位置に貫通孔が形成されている。接合に際しては、長手方向にすきまをあけて隣り合う支持部材の側面端同士に、一対の係合部材（接合部材）が差し掛かるように配置される。このとき、支持部材同士とそれぞれの係合部材（接合部材）とは、側面同側の上側溝に上側片が係合され、側面同側の下側溝に下側片が係合されている。さらに、一側の貫通孔からすきまを通過して他側の貫通孔に貫通された締付部材を締め付けて支持部材同士が接合される。
【００３９】
支持部材１・１同士を長手方向に接合させるに当たり、支持部材１・１同士の間にすきまをあける。このすきまは、締付部材３を通過させることができる程度の間隔で良い。
【００４０】
すきまをあけて長手方向に隣り合う支持部材１・１に対して、それらの側面端同士に差し掛かるように、一対の係合部材２・２が配置される。このとき、係合部材２の貫通孔２１３を支持部材１・１同士のすきまの位置にあわせて、支持部材１・１同士の両側面１２・１２・１２・１２を一対の係合部材２・２で挟むように組み合わせる。このとき、接合される支持部材１・１同士と、それぞれの係合部材２とは、側面同側の上側溝１２１・１２１同士に上側片２１１が係合され、側面同側の下側溝１２２・１２２同士に下側片２１２が係合される。そして、締付部材３を、一側の係合部材２の貫通孔２１３から隣り合う支持部材１・１同士のすきまを通過させて、他側の係合部材２の貫通孔２１３に貫通させて、それを締め付けることによって、支持部材１・１同士を接合させる。
【００４１】
さらに、支持部材１・１同士を接合させる際、あらかじめ締付部材３を、一側の係合部材２の貫通孔２１３から他側の係合部材２の貫通孔２１３に貫通させて仮締めしておくことも可能である。その後、係合部材２・２に仮締めされた締付部材３をすきまに挿入して、支持部材１・１の側面同側の上側溝１２１・１２１同士に上側片２１１を係合させ、支持部材１・１の側面同側の下側溝１２２・１２２同士に下側片２１２を係合させる。そして、締付部材３を締め付けるだけで良い。そのため、細かい部品である締付部材３等を落下させる恐れなどがないため、施工性が高まる。
【００４２】
次に、図６及び図７により第２の実施例について説明する。支持部材１・１同士を長手方向に接合させるに当たり、支持部材１・１同士の間にすきまをあける。このすきまは、締付部材３を通過させることができる程度の間隔で良い。
【００４３】
すきまをあけて長手方向に隣り合う支持部材１・１に対して、それらの側面端同士に差し掛かるように、二組の抜け止め部材５・係合部材２が配置される。このとき、締付部材３は、抜け止め部材５によって、支持部材１の長手方向端部に組み合わされている。この抜け止め部材５は、支持部材１の側面１２内側に当接する。一方、係合部材２は、支持部材１の側面１２外側に当接する。支持部材１・１同士のすきまから外側に突出された締付部材３は、係合部材２の貫通孔２１３に貫通される。その結果、支持部材１の側面１２・１２はそれぞれ、抜け止め部材５と係合部材２で挟まれる。このとき、接合される支持部材１・１同士と、係合部材２とは、側面同側の上側溝１２１・１２１同士に上側片２１１が係合され、側面同側の下側溝１２２・１２２同士に下側片２１２が係合される。そして、その締付部材３が締め付けられることによって、支持部材１・１同士が接合される。
【００４４】
さらに、支持部材１・１同士を接合させる際、抜け止め部材５と係合部材２とを締付部材３を仮締めしてあらかじめ組み合わせておくことも可能である。まず、支持部材の一方の長手方向端部において、両側面１２・１２をそれぞれ、抜け止め部材５と係合部材２で挟んで組み合わせておく。そして、その抜け止め部材５と係合部材２で形成された間隙に、接合させる支持部材１の長手方向端部の両側面１２・１２をそれぞれ挿入させる。このとき、支持部材１・１の側面同側の上側溝１２１・１２１同士に上側片２１１を係合させ、支持部材１・１の側面同側の下側溝１２２・１２２同士に下側片２１２を係合させる。そして、それぞれの締付部材３・３を締め付ける。そのため、細かい部品である締付部材３等を落下させる恐れなどがないため、施工性が高まる。
【００４５】
次に、図８及び図９により第３の実施例について説明する。
【００４６】
支持部材１・１同士を長手方向に接合させるに当たり、第１及び第２の実施例のようにすきまをあける必要はない。ただし、第１及び第２の実施例同様に、支持部材１・１同士の間にすきまをあけてもよい。このすきまは、第１及び第２の実施例より狭くてもよい。係合部材２の係合側面２１に滑止片を設けて、接合される支持部材１・１の端面同士に挟まれる状態にしてもよい。この滑止片が支持部材１・１の端面同士に挟まれることによって、係合部材２が屋根の流れ方向に滑落することを防ぐことができる。
【００４７】
この第３の実施例において、支持部材１の側面１２には、上側溝１２１、下側溝１２２に加えて、断面略Ｔ字状の側面被スライド手段１２３が形成されている。その側面被スライド手段１２３に締付部材３を抜け止め状態に保持させるために、締付部材３に抜け止め部材５を組み合わせてもよい。締付部材３は、抜け止め部材５によって、支持部材１の側面１２外側に組み合わされている。このほか、側面被スライド手段１２３は、リップ状の溝として、締付部材３を直接組み合わせてもよい。
【００４８】
また、支持部材１に側面被スライド手段１２３が形成されている場合などには、係合部材２に、高さ方向や長手方向に並ぶような、複数の貫通孔が形成されていてもよい。第３の実施例では、サイコロの４の目のような配置に、４つの貫通孔２１３・２１３・２１３・２１３が形成されている。
【００４９】
第３の実施例では、長手方向に隣り合う支持部材１・１に対して、それらの側面端同士に差し掛かるように、二組の抜け止め部材５・係合部材２が配置される。このとき、締付部材３・３・３・３と組み合わされた抜け止め部材５及び係合部材２は、どちらも支持部材１・１の外側に配置される。支持部材１の側面１２外側に、抜け止め部材５によって抜け止め状態、かつ摺動可能に組み合わされた締付部材３・３・３・３は、係合部材２の４つの貫通孔２１３・２１３・２１３・２１３にそれぞれ貫通される。このとき、接合される支持部材１・１同士と、係合部材２とは、側面同側の上側溝１２１・１２１同士に上側片２１１が係合され、側面同側の下側溝１２２・１２２同士に下側片２１２が係合される。そして、４つの締付部材３・３・３・３がすべて締め付けられることによって、支持部材１・１同士が接合される。
【００５０】
さらに、支持部材１・１同士を接合させる際、抜け止め部材５と係合部材２とを締付部材３・３・３・３を仮締めしてあらかじめ組み合わせておくことも可能である。まず、支持部材１の一方の長手方向端部において、両側面１２・１２にそれぞれの側面被スライド手段１２３・１２３に、締付部材３・３・３・３と係合部材２を一体化させた抜け止め部材５を組み合わせておく。そして、その抜け止め部材５と係合部材２で形成された間隙に、接合させる支持部材１の側面被スライド手段１２３・１２３を挿入させる。このとき、支持部材１・１の側面１２同側の上側溝１２１・１２１同士に上側片２１１を係合させ、支持部材１・１の側面１２同側の下側溝１２２・１２２同士に下側片２１２を係合させる。そして、それぞれの締付部材３・３・３・３を締め付ける。そのため、細かい部品である締付部材３等を落下させる恐れなどがないため、施工性が高まる。
【００５１】
第３の実施例の場合、支持部材１の長手方向における中間部に係合させることもできる。こうすることによって、係合部材２は、支持部材１の「補強部材」として使うこともできる。このように、係合部材２は、「接合部材」、「補強部材」を兼用させることもできる。
【００５２】
一般的に、屋根上設置物の支持部材を長くすると、長手方向における中間部が撓んでしまう課題がある。この課題を解決するには、側面の板厚を上げるほかなかった。そのため、支持部材の側面において長手方向全体の板厚を上げることになり、かなりの製造コスト上昇が必要であった。しかし、第３の実施例によって、係合部材を用いて、撓む部分に限定した補強ができる。その結果、屋根上設置物の支持部材の側面において長手方向全体の板厚を上げることなく、長手方向における中間部が撓むのを防ぐことができる。しかも、補強のための係合部材は、支持部材同士を接合する係合部材としても用いることができる。そのため、さらなる製造コストの上昇も防ぐことができる。
【００５３】
次に、図１０及び図１１により、本願の屋根上設置物の取り付け構造における固定部材について説明する。
【００５４】
固定部材４には、屋根上に固定部材４を固定する固定部４１が形成されている。本実施例においては、固定部４１はボルト挿通孔となっている。たとえば、屋根上設置物を取り付けるのが重ね式折板屋根の場合、屋根設置に使われたタイトフレーム上に立設されているボルトを、固定部材４の固定部４１（ボルト挿通孔）に挿通させて固定させることができる。
【００５５】
また、固定部材４の固定部４１は、ルーフボルト等のボルト挿通孔でもよい。この場合、屋根材に穴をあけておく。その屋根材上に固定部材４を重ね、固定部４１と屋根材の穴の位置をあわせる。そこにルーフボルト等を挿し込み、締め付けて、固定部材４を固定する。
【００５６】
ただし、これらは一例であり、固定部４１はボルト挿通孔に限定されるものではない。たとえば、固定部４１は、両面テープ・接着剤等を付着させる接着面でもよい。
【００５７】
さらに、１つの支持部材１に対して、固定手段の異なる固定部材４を組み合わせて用いてもよい。たとえば、タイトフレーム上に立設されているボルトを用いた固定部材４に加えて、両面テープ等を用いた固定部材４を追加固定して補強してもよい。
【００５８】
固定部材４には、支持部材１の止着脚１３が載置される受け部４２が形成されている。本実施例では、支持部材１は、止着脚１３・１３の一方が受け部４２に載置されるとともに、受け部４２から延出されて形成された掛止部４３に引っ掛けられている。さらに、支持部材１は、止着脚１３・１３の他方が受け部４２に載置されるとともに、押え金具Ｏ等により挟持され、ボルトＢ及びナットＮによって締め付けられて屋根上に止着されている。本実施例は、一組のボルトＢ・ナットＮを締め付けるだけで支持部材１を止着することができるので、極めて施工性の高い方法である。
【００５９】
本実施例においては上記のように、受け部４２と押え金具Ｏ、ボルトＢ・ナットＮとで構成される挟持手段によって止着されている。ただし、本実施例のように挟持手段を用いるのは一例である。支持部材１に孔をあけることなく、支持部材１を固定金具４に止着できれば、嵌合による止着、接着剤を用いた止着など、いかなる形状・構造等であってもよい。たとえば、止着脚１３・１３の双方を、それぞれ受け部、押え金具、ボルト・ナットで挟持することによって止着される構造であってもよい。
【００６０】
固定部材４により、支持部材１の止着脚１３を止着するのは、固定部４１に近い位置であることが望ましい。それは、固定部４１に近い位置で止着された方が、止着強度が高いためである。したがって、止着脚１３は、本実施例のように、支持部材１の側面１２から下方及び外側に延出されて、止着される箇所が固定部４１に近い位置となる形状であるのが望ましい。
【００６１】
さらに、大型建物の屋根に屋根上設置物を取り付ける場合には、本願の係合部材２を「接合部材」として用いた屋根上設置物の支持部材の接合構造と、屋根上設置物の取り付け構造とを組み合わせた構造とすることができる。
【００６２】
たとえば、次のような構造である。先述の支持部材が、接合部材によって長手方向に接合されている。その係合部材（接合部材）は、係合側面（接合側面）が形成されている。その係合側面（接合側面）には、支持部材の上側溝及び下側溝に係合される上側片及び下側片と、略中央の位置に貫通孔が形成されている。接合に際しては、長手方向にすきまをあけて隣り合う支持部材の側面端同士に、一対の係合部材（接合部材）が差し掛かるように配置される。このとき、支持部材同士とそれぞれの係合部材（接合部材）とは、側面同側の上側溝同士に上側片が係合され、側面同側の下側溝同士に下側片が係合されている。さらに、一側の貫通孔からすきまを通過して他側の貫通孔に貫通された締付部材を締め付けて支持部材同士が接合される。そして、先述の屋根上設置物の取り付け構造として屋根上に取り付けられている。
【００６３】
また、本願の屋根上設置物の支持部材自体を長く形成し、本願の係合部材を「補強部材」として組み合わせたものを固定部材に取り付けた構造としてもよい。
【符号の説明】
【００６４】
１      支持部材
１１    上面
１１１  被スライド手段
１２    側面
１２１  上側溝
１２２  下側溝
１２３  側面被スライド手段
１３    止着脚
２      係合部材
２１    係合側面
２１１  上側片
２１２  下側片
２１３  貫通孔
３      締付部材
４      固定部材
４１    固定部
４２    受け部
４３    掛止部
５      抜け止め部材
Ｏ      押え金具
Ｂ      ボルト
Ｎ      ナット
【図１】
2014051877.tif 000003
【図２】
2014051877.tif 000004
【図３】
2014051877.tif 000005
【図４】
2014051877.tif 000006
【図５】
2014051877.tif 000007
【図６】
2014051877.tif 000008
【図７】
2014051877.tif 000009
【図８】
2014051877.tif 000010
【図９】
2014051877.tif 000011
【図１０】
2014051877.tif 000012
【図１１】
2014051877.tif 000013
【図１２】
2014051877.tif 000014
【図１３】
2014051877.tif 000015
【図１４】
2014051877.tif 000016
【図１５】
2014051877.tif 000017